(57)【要約】【課題】  送信先の信号形式に応じた動画像信号を容易に送信可能とする。【解決手段】  撮像手段と、前記撮像手段により得られた動画像情報から、同じ動画像を示す互いに異なる形式の複数の動画像信号を生成する画像処理手段と、前記画像処理手段により生成された前記複数の動画像信号を互いに関連付けるための付加情報を生成し、前記複数の動画像信号と前記付加情報とを記録媒体に記録する記録手段と、前記記録媒体に記録された前記動画像信号と前記付加情報とを再生する再生手段と、前記再生手段により再生された動画像信号を外部に送信する送信手段と、前記再生手段により再生された付加情報に基づいて、前記記録媒体に記録された複数の動画像信号のうち、前記送信手段の送信先に応じた形式の動画像信号を選択する選択手段とを備える。【選択図】  図１
2006217027.tif 000002
【特許請求の範囲】
【請求項１】
撮像手段と、
前記撮像手段により得られた動画像情報から、同じ動画像を示す互いに異なる形式の複数の動画像信号を生成する画像処理手段と、
前記画像処理手段により生成された前記複数の動画像信号を互いに関連付けるための付加情報を生成し、前記複数の動画像信号と前記付加情報とを記録媒体に記録する記録手段と、
前記記録媒体に記録された前記動画像信号と前記付加情報とを再生する再生手段と、
前記再生手段により再生された動画像信号を外部に送信する送信手段と、
前記再生手段により再生された付加情報に基づいて、前記記録媒体に記録された複数の動画像信号のうち、前記送信手段の送信先に応じた形式の動画像信号を選択する選択手段とを備える撮像装置。
【請求項２】
撮像手段と、
動画像信号を入力する入力手段と、
前記撮像手段により得られた第１の動画像信号と、前記入力手段より入力された第２の動画像信号とを互いに対応付けるための付加情報を生成し、前記第１の動画像信号と前記第２の動画像信号及び、前記付加情報を記録媒体に記録する記録手段と、
前記記録媒体から前記第１の動画像信号と第２の動画像信号及び前記付加情報を再生する再生手段と、
前記付加情報に基づいて、前記第１の動画像信号に係る第１の画像と前記第２の動画像信号に係る第２の画像とを、同一の表示画面に２画面表示すると共に、表示位置の切り替え指示に応じて、前記表示画面上における前記第１の画像と第２の画像の表示位置を切り替えて表示する表示手段とを備える撮像装置。
【発明の詳細な説明】
【技術分野】
【０００１】
本発明は撮像装置に関し、特に複数の動画像信号を記録再生する装置に関する。
【背景技術】
【０００２】
従来、動画像を撮影して磁気テープやメモリカード、ディスク媒体などに記録するビデオカメラが知られている。
【０００３】
特に、磁気テープに動画像を記録するカメラ一体型ＶＴＲにおいては、メモリカードを装着するためのカードスロットを備え、テープに対する動画像の記録中に、メモリカードに対して静止画像を記録する機能を持つものも登場している（例えば特許文献１参照）。
【０００４】
また、近年では、動画像データをデジタルデータとして記録しておき、ＩＥＥＥ１３９４やＵＳＢなどに代表される伝送路を介して、デジタルデータのまま伝送することも行われている。
【特許文献１】特開２００３−２５９２７２
【発明の開示】
【発明が解決しようとする課題】
【０００５】
しかしながら、従来のビデオカメラでは、ある決まった一つの形式の動画像信号しか記録していないため、その形式の動画像信号を扱うことができない送信先に対しては、記録した動画像信号をそのまま送信することができなかった。
【０００６】
また、送信先にて扱う動画像信号の形式が異なっている場合には、送信先の形式に変換した後に送信する必要があった。
【０００７】
また、動画像の撮影中に、その動画像中の１画面を静止画として記録することはできたが、動画像の撮影中に、他の入力端子より入力された動画像を同時に記録することはできなかった。
【０００８】
本発明はこの様な問題を解決することを目的とする。
【０００９】
本発明の他の目的は、送信先の信号形式に応じた動画像信号を容易に送信可能とすることである。
【課題を解決するための手段】
【００１０】
前記の目的を達成するため、本発明においては、撮像手段と、前記撮像手段により得られた動画像情報から、同じ動画像を示す互いに異なる形式の複数の動画像信号を生成する画像処理手段と、前記画像処理手段により生成された前記複数の動画像信号を互いに関連付けるための付加情報を生成し、前記複数の動画像信号と前記付加情報とを記録媒体に記録する記録手段と、前記記録媒体に記録された前記動画像信号と前記付加情報とを再生する再生手段と、前記再生手段により再生された動画像信号を外部に送信する送信手段と、前記再生手段により再生された付加情報に基づいて、前記記録媒体に記録された複数の動画像信号のうち、前記送信手段の送信先に応じた形式の動画像信号を選択する選択手段とを備える構成とした。
【発明の効果】
【００１１】
本発明によれば、異なる形式の動画像信号を生成して記録するので、送信先の信号形式に応じた動画像信号を容易に送信可能となる。
【００１２】
また、動画像の撮影中に入力された動画像を同時に記録し、再生時には同時に表示することができる。
【発明を実施するための最良の形態】
【００１３】
図１は本発明の実施形態のビデオカメラにおける機能ブロック図である。
【００１４】
図１において、Ｂ１００は各ブロックの制御信号線や、各ブロックへのデータの送受に使用するアドレスバスやデータバスを表す。Ｂ１０１はマイクロコンピュータを表し、カメラ一体型ディスクカムコーダ全体を制御する。Ｂ１０２は画像信号処理部を表し、Ｂ１０５の光電変換素子で被写体を光電変換した画像信号や、Ｂ１０６の外部入出力コネクタから入力された画像信号や、Ｂ１０７のマイクから入力されＢ１０８の信号処理部で処理された音声信号や、Ｂ１１０の表示制御部によってＢ１０９の液晶パネルに表示するための画像を処理する。Ｂ１１５はレンズ部を表し、Ｂ１１６のレンズ制御部によって制御される。また、Ｂ１２４は、Ｂ１０５、Ｂ１１５、Ｂ１１６を包含する撮像部である。Ｂ１０３はメモリを表し、一時的なデータの記憶を行う。Ｂ１１４は電源制御部を表し、Ｂ１１２のＡＣアダプタやＢ１１３のバッテリ等の電源制御を行う。Ｂ１１１は入力スイッチ類を表し、電源ボタンや撮影開始ボタンや再生画像の選択ボタンなどから構成される。Ｂ１１８は記録媒体のディスクを制御するディスク制御部を表し、Ｂ１１７の書き込み可能な記録ディスクの取り出しや回転制御を行う。Ｂ１２１はピックアップ制御部を表し、ディスクへの同時書き込みや同時読み出しを行うＢ１１９のピックアップ１と、Ｂ１２０のピックアップ２を同時に制御する。Ｂ１２３は通信制御部を表し、Ｂ１２２の通信コネクタを介して接続された機器との通信を行う。
【００１５】
まず、図２を用いて、図１のビデオカメラの記録動作について説明する。
【００１６】
図２において、Ｓ１０１は撮影開始ボタン等の押下によって開始される、記録開始を表す。Ｓ１０２は撮影され、画像処理された撮影情報１を取得する。Ｓ１０３は、取得した撮影情報１を使用して、主動画データの作成を行う。Ｓ１０４は、Ｓ１０３と同じ撮影情報１を使用して、副動画データの作成を行う。Ｓ１０５では、主動画データを記録媒体の主記録領域に記録し、Ｓ１０６では、副動画データを記録媒体の副記録領域に記録する。尚、Ｓ１０３とＳ１０４、Ｓ１０５とＳ１０６は、それぞれほぼ同時に処理される。Ｓ１０７では、主動画の記録領域と副動画の記録領域の両領域の関連付けを行い、Ｓ１０８に移行して記録を終了する（図７）（図１０）。
【００１７】
図１０は、記録動画の関連付けの構造について示す図である。
【００１８】
図１０は、記録媒体のデータ構造を表し、Ｕ６０１はＵ６０２の動画データの管理領域として所定の容量を確保され、記録動作完了時に、同時に記録された記録領域が記録される。
【００１９】
次に、図６を用いて、この様に記録された動画像を再生して外部装置に送信する処理を説明する。
【００２０】
図６において、Ｓ５０１は転送開始ボタン等の押下によって開始される、転送操作の開始を表す。Ｓ５０２で転送する記録動画を選択し、Ｓ５０３で選択動画に関連付けられている主動画、或いは副動画の記録領域を取得する。Ｓ５０４では、関連付けられている動画の中から、転送先にて扱う場合に最適な形式の動画データを、ファイル形式等の記録情報から判断する。Ｓ５０５では、選択した動画を読み出し、Ｓ５０６で転送する。転送が完了したら、Ｓ５０７へ移行して転送操作を終了する。
【００２１】
次に、図３を用いて、図１のビデオカメラの他の記録動作について説明する。
【００２２】
図３において、Ｓ２０１は撮影開始ボタン等の押下によって開始される、記録開始を表す。Ｓ２０２は撮影され、画像処理された撮影情報１を取得する。Ｓ２０３は、Ｓ２０２で取得した撮影情報１を使用して、主動画データの作成を行う。Ｓ２０４は、Ｓ２０２で取得した撮影情報１とは異なる経路で撮影され、画像処理された撮影情報２を取得する。Ｓ２０５では、Ｓ２０４で取得した撮影情報２を使用して、副動画データの作成を行う。Ｓ２０６では、主動画データを記録媒体の主記録領域に記録する。Ｓ２０７では、副動画データを記録媒体の副記録領域に記録する。尚、Ｓ２０２とＳ２０４、Ｓ２０３とＳ２０５、Ｓ２０６とＳ２０７は、それぞれほぼ同時に処理される。Ｓ２０８では、主動画の記録領域と副動画の記録領域の両領域の関連付けを行い、Ｓ２０９に移行して記録を終了する（図７）（図１０）。
【００２３】
また、図４を用いて、図１のビデオカメラの他の記録動作について説明する。
【００２４】
図４において、Ｓ３０１は撮影開始ボタン等の押下によって開始される、記録開始を表す。Ｓ３０２は撮影され、画像処理された撮影情報１を取得する。Ｓ３０３は、Ｓ３０２で取得した撮影情報１を使用して、主動画データの作成を行う。Ｓ３０４は、外部入力端子から入力され、画像処理された外部入力情報を取得する。Ｓ３０５では、Ｓ３０４で取得した外部入力情報を使用して、副動画データの作成を行う。Ｓ３０６では、主動画データを記録媒体の主記録領域に記録する。Ｓ３０７では、副動画データを記録媒体の副記録領域に記録する。尚、Ｓ３０２とＳ３０４、Ｓ３０３とＳ３０５、Ｓ３０６とＳ３０７は、それぞれほぼ同時に処理される。Ｓ３０８では、主動画の記録領域と副動画の記録領域の両領域の関連付けを行い、Ｓ３０９に移行して記録を終了する（図７）（図１０）。
【００２５】
次に、図５を用いて、図３、図４の記録動作により記録された動画像データの再生動作について説明する。
【００２６】
図５において、Ｓ４０１で選択された主動画の記録領域を読み出し、Ｓ４０２では選択された副動画の記録領域を読み出す。Ｓ４０３では、読み出した主動画と副動画を同一画面上に２画面表示する。Ｓ４０４表示位置の切り替えを検出して、切り替え指示があればＳ４０５で主画像と副画像の表示位置を切り替える。Ｓ４０６では再生の完了、或いは再生の停止を検出して、再生を終了しない場合はＳ４０１へ戻る（図８）（図９）。
【００２７】
図７はディスク媒体の記録領域について示す図である。
【００２８】
図７において、Ｕ１０１はディスク媒体を表し、Ｕ１０２はその一部を表す。Ｕ２０１は主動画が記録される記録領域を表し、Ｕ２０２はＵ２０１の主動画に関連付けられた副動画が記録される記録領域を表す。
【００２９】
図８は再生動作時におけるディスク媒体の再生領域について示す図である。
【００３０】
図８において、Ｕ３０１はディスク媒体を表し、Ｕ３０２はその一部を表す。Ｕ４０１は、ある主動画が記録されている記録領域を表し、Ｕ４０２はその主動画に関連付けられた副動画が記録されている記録領域を表す。Ｕ４０３は、Ｕ４０１とは異なる主動画が記録されている記録領域を表し、Ｕ４０４はその主動画に関連付けられた副動画が記録されている記録領域を表す。ここで、主動画の再生領域をＵ４０１、副動画の再生領域をＵ４０４として再生している状態で切り替えが行われた場合、主動画の再生領域がＵ４０３に、副動画の再生領域がＵ４０２に変更される（図９）。
【００３１】
図９は、再生動作時の表示画面を示す図である。
【００３２】
同じ撮影情報を元にして主動画と副動画を記録した、２種類の撮影情報が記録されている記録媒体の再生動作時において、Ｕ５０１は主動画の再生画面を表し、Ｕ５０２は副動画の再生画面を表す。ここで、切り替え操作が行われた場合、Ｕ５０１に関連付けられた記録領域の再生画をＵ５０４に、Ｕ５０２に関連付けられた記録領域の再生画をＵ５０３に表示するように切り替わる。
【図面の簡単な説明】
【００３３】
【図１】本発明の実施形態のビデオカメラの機能ブロック図である。
【図２】実施形態の記録動作を表すフローチャートである。
【図３】実施形態の記録動作を表すフローチャートである。
【図４】実施形態の記録動作を表すフローチャートである。
【図５】実施形態の再生動作を表すフローチャートである。
【図６】実施形態の通信動作を表すフローチャートである。
【図７】記録媒体上のデータの記録領域を表す図である。
【図８】記録媒体上のデータの再生領域を表す図である。
【図９】再生時の表示画面を示す図である。
【図１０】関連付け情報の構造を表す図である。
【図１】
2006217027.tif 000003
【図２】
2006217027.tif 000004
【図３】
2006217027.tif 000005
【図４】
2006217027.tif 000006
【図５】
2006217027.tif 000007
【図６】
2006217027.tif 000008
【図７】
2006217027.tif 000009
【図８】
2006217027.tif 000010
【図９】
2006217027.tif 000011
【図１０】
2006217027.tif 000012